(57)【要約】【課題】ユーザの意図しない電源オン状態を回避して消費電力を低減することができる電子筆記具を提供する。【解決手段】電子筆記具１に対する筆圧が検出されたか否かを判定する筆圧判定部１４と、筆圧判定部１４の判定結果に基づいて、電子筆記具１の電源のオン／オフを制御する電源制御部１３と、を備え、電源制御部１３は、筆圧が検出された場合は電源をオン状態にし、電源をオン状態にした後の一定期間内に再び筆圧が検出された場合は、電源のオン状態を維持する一方、電源をオン状態にした後の一定期間内に筆圧が検出されなかった場合は、電源をオフ状態にする。【選択図】図４
2014134855.tif 000002
【特許請求の範囲】
【請求項１】
当該電子筆記具に対する筆圧が検出されたか否かを判定する筆圧判定手段と、
前記筆圧判定手段の判定結果に基づいて、当該電子筆記具の電源のオン／オフを制御する電源制御手段と、を備え、
前記電源制御手段は、前記筆圧が検出された場合は前記電源をオン状態にし、
前記電源をオン状態にした後の一定期間内に再び前記筆圧が検出された場合は、前記電源のオン状態を維持する一方、
前記電源をオン状態にした後の一定期間内に前記筆圧が検出されなかった場合は、前記電源をオフ状態にすることを特徴とする電子筆記具。
【請求項２】
ユーザが手書きする媒体に形成されたデジタルコードの特徴を抽出することによって、前記媒体が当該電子筆記具に対応する媒体であるか否かを判定する特徴判定手段をさらに備え、
前記電源制御手段は、前記電源をオン状態にした後の前記一定期間内に前記筆圧が検出された場合において、
前記媒体が当該電子筆記具に対応する媒体であった場合は、前記電源のオン状態を維持する一方、
前記媒体が当該電子筆記具に対応する媒体でなかった場合は、前記電源をオフ状態にすることを特徴とする請求項１に記載の電子筆記具。
【請求項３】
当該電子筆記具に対する筆圧が検出されたか否かを判定する筆圧判定手段と、
ユーザが手書きする媒体に形成されたデジタルコードの特徴を抽出することによって、前記媒体が当該電子筆記具に対応する媒体であるか否かを判定する特徴判定手段と、
前記筆圧判定手段の判定結果と前記特徴判定手段の判定結果とに基づいて、当該電子筆記具の電源のオン／オフを制御する電源制御手段と、を備え、
前記電源制御手段は、前記筆圧が検出された場合は前記電源をオン状態にし、
前記電源をオン状態にした後に、前記媒体が当該電子筆記具に対応する媒体であった場合は、前記電源のオン状態を維持する一方、
前記電源をオン状態にした後に、前記媒体が当該電子筆記具に対応する媒体でなかった場合は、前記電源をオフ状態にすることを特徴とする電子筆記具。
【請求項４】
前記筆圧を検出すると超音波信号及び赤外線信号をそれぞれ発信する超音波信号発信手段及び赤外線信号発信手段と、
前記超音波信号及び前記赤外線信号を受信する外部に配置された受信機であって、両信号を受信することにより該受信機の電源がオン状態になるとともにオン信号を出力する受信機から、該オン信号を受信する受信手段と、
前記オン信号を受信したか否かを判定する受信判定手段と、をさらに備え、
前記電源制御手段は、前記電源をオン状態にした後の前記一定期間内に前記筆圧が検出された場合において、
前記オン信号が受信された場合は、前記電源のオン状態を維持する一方、
前記オン信号が受信されなかった場合は、前記電源をオフ状態にすることを特徴とする請求項１に記載の電子筆記具。
【請求項５】
当該電子筆記具に対する筆圧が検出されたか否かを判定する筆圧判定手段と、
前記筆圧を検出すると超音波信号及び赤外線信号をそれぞれ発信する超音波信号発信手段及び赤外線信号発信手段と、
前記超音波信号及び前記赤外線信号を受信する外部に配置された受信機であって、両信号を受信することにより該受信機の電源がオン状態になるとともにオン信号を出力する受信機から、該オン信号を受信する受信手段と、
前記オン信号を受信したか否かを判定する受信判定手段と、
前記筆圧判定手段の判定結果と前記受信判定手段の判定結果とに基づいて、当該電子筆記具の電源のオン／オフを制御する電源制御手段と、を備え、
前記電源制御手段は、前記筆圧が検出された場合は前記電源をオン状態にし、
前記電源をオン状態にした後に前記オン信号が受信された場合は、前記電源のオン状態を維持する一方、
前記電源をオン状態にした後に前記オン信号が受信されなかった場合は、前記電源をオフ状態にすることを特徴とする電子筆記具。
【請求項６】
前記筆圧判定処理は、
前記電源がオフ状態のときに前記筆圧が検出されたか否かを判定する第１判定処理と、
前記電源がオフ状態からオン状態になった後の第１所定期間内に前記筆圧が検出されたか否かを判定する第２判定処理と、
前記電源がオン状態からオフ状態になった後の第２所定期間内に前記筆圧が検出されたか否かを判定する第３判定処理と、
を含むことを特徴とする請求項１から５の何れか１項に記載の電子筆記具。
【請求項７】
前記電源制御手段は、
前記第３判定処理において前記筆圧が検出された場合は、再び前記第３判定処理を行う一方、
前記第３判定処理において前記筆圧が検出されなかった場合は、前記第１判定処理を行うことを特徴とする請求項６に記載の電子筆記具。
【発明の詳細な説明】
【技術分野】
【０００１】
本発明は、電子筆記具に関する。
【背景技術】
【０００２】
特許文献１には、筆記体の筆圧を検知して電源をオン／オフする電気的装置を備えた電子筆記具が開示されている。この電子筆記具は、筆記時の筆記圧により、筆記体及び筆記体フォルダーが弾発力に抗してハウス内の係止部を押圧し、係止部が感圧センサを押圧することにより筆記状態を検知する。この構成によれば、電子筆記具に筆圧が与えられると電子筆記具の電源がオン状態になる。
【先行技術文献】
【特許文献】
【０００３】
【特許文献１】特開２００７−２３３５７７号公報
【発明の概要】
【発明が解決しようとする課題】
【０００４】
本発明は、ユーザの意図しない電源オン状態を回避して消費電力を低減することができる電子筆記具を提供することを目的とする。
【課題を解決するための手段】
【０００５】
本発明の請求項１に係る電子筆記具は、当該電子筆記具に対する筆圧が検出されたか否かを判定する筆圧判定手段と、前記筆圧判定手段の判定結果に基づいて、当該電子筆記具の電源のオン／オフを制御する電源制御手段と、を備え、前記電源制御手段は、前記筆圧が検出された場合は前記電源をオン状態にし、前記電源をオン状態にした後の一定期間内に再び前記筆圧が検出された場合は、前記電源のオン状態を維持する一方、前記電源をオン状態にした後の一定期間内に前記筆圧が検出されなかった場合は、前記電源をオフ状態にする。
【０００６】
本発明の請求項２に係る電子筆記具は、請求項１に記載の構成において、ユーザが手書きする媒体に形成されたデジタルコードの特徴を抽出することによって、前記媒体が当該電子筆記具に対応する媒体であるか否かを判定する特徴判定手段をさらに備え、前記電源制御手段は、前記電源をオン状態にした後の前記一定期間内に前記筆圧が検出された場合において、前記媒体が当該電子筆記具に対応する媒体であった場合は、前記電源のオン状態を維持する一方、前記媒体が当該電子筆記具に対応する媒体でなかった場合は、前記電源をオフ状態にする。
【０００７】
本発明の請求項３に係る電子筆記具は、当該電子筆記具に対する筆圧が検出されたか否かを判定する筆圧判定手段と、ユーザが手書きする媒体に形成されたデジタルコードの特徴を抽出することによって、前記媒体が当該電子筆記具に対応する媒体であるか否かを判定する特徴判定手段と、前記筆圧判定手段の判定結果と前記特徴判定手段の判定結果とに基づいて、当該電子筆記具の電源のオン／オフを制御する電源制御手段と、を備え、前記電源制御手段は、前記筆圧が検出された場合は前記電源をオン状態にし、前記電源をオン状態にした後に、前記媒体が当該電子筆記具に対応する媒体であった場合は、前記電源のオン状態を維持する一方、前記電源をオン状態にした後に、前記媒体が当該電子筆記具に対応する媒体でなかった場合は、前記電源をオフ状態にする。
【０００８】
本発明の請求項４に係る電子筆記具は、請求項１に記載の構成において、前記筆圧を検出すると超音波信号及び赤外線信号をそれぞれ発信する超音波信号発信手段及び赤外線信号発信手段と、前記超音波信号及び前記赤外線信号を受信する外部に配置された受信機であって、両信号を受信することにより該受信機の電源がオン状態になるとともにオン信号を出力する受信機から、該オン信号を受信する受信手段と、前記オン信号を受信したか否かを判定する受信判定手段と、をさらに備え、前記電源制御手段は、前記電源をオン状態にした後の前記一定期間内に前記筆圧が検出された場合において、前記オン信号が受信された場合は、前記電源のオン状態を維持する一方、前記オン信号が受信されなかった場合は、前記電源をオフ状態にする。
【０００９】
本発明の請求項５に係る電子筆記具は、当該電子筆記具に対する筆圧が検出されたか否かを判定する筆圧判定手段と、前記筆圧を検出すると超音波信号及び赤外線信号をそれぞれ発信する超音波信号発信手段及び赤外線信号発信手段と、前記超音波信号及び前記赤外線信号を受信する外部に配置された受信機であって、両信号を受信することにより該受信機の電源がオン状態になるとともにオン信号を出力する受信機から、該オン信号を受信する受信手段と、前記オン信号を受信したか否かを判定する受信判定手段と、前記筆圧判定手段の判定結果と前記受信判定手段の判定結果とに基づいて、当該電子筆記具の電源のオン／オフを制御する電源制御手段と、を備え、前記電源制御手段は、前記筆圧が検出された場合は前記電源をオン状態にし、前記電源をオン状態にした後に前記オン信号が受信された場合は、前記電源のオン状態を維持する一方、前記電源をオン状態にした後に前記オン信号が受信されなかった場合は、前記電源をオフ状態にする。
【００１０】
本発明の請求項６に係る電子筆記具は、請求項１から５の何れか１項に記載の構成において、前記筆圧判定処理は、前記電源がオフ状態のときに前記筆圧が検出されたか否かを判定する第１判定処理と、前記電源がオフ状態からオン状態になった後の第１所定期間内に前記筆圧が検出されたか否かを判定する第２判定処理と、前記電源がオン状態からオフ状態になった後の第２所定期間内に前記筆圧が検出されたか否かを判定する第３判定処理と、を含む。
【００１１】
本発明の請求項７に係る電子筆記具は、請求項６に記載の構成において、前記電源制御手段は、前記第３判定処理において前記筆圧が検出された場合は、再び前記第３判定処理を行う一方、前記第３判定処理において前記筆圧が検出されなかった場合は、前記第１判定処理を行う。
【発明の効果】
【００１２】
本発明の請求項１，３及び５に記載の構成によれば、ユーザの意図しない電源オン状態を回避して消費電力を低減することができる。
【００１３】
本発明の請求項２，４に記載の構成によれば、電子筆記具をボールペン等の単なる筆記具として使用することができるとともに、電子筆記具の電源オン状態による電力の消費を抑えることができる。
【００１４】
本発明の請求項６，７に記載の構成によれば、電源オフ状態が維持されるため電力の消費を抑えることができる。
【図面の簡単な説明】
【００１５】
【図１】実施の形態１に係る電子筆記具を含む情報処理システムの概略構成を示す図である。
【図２】デジタルコードを説明するための図である。
【図３】実施の形態１に係る電子筆記具の概略構成を示す模式図である。
【図４】実施の形態１に係る電子筆記具における制御部の具体的構成を示すブロック図である。
【図５】実施の形態１に係る電子筆記具の動作の一例を示すフローチャートである。
【図６】実施の形態１の変形例に係る電子筆記具の動作の一例を示すフローチャートである。
【図７】実施の形態２に係る電子筆記具を含む情報処理システムの概略構成を示す図である。
【図８】実施の形態２に係る電子筆記具の概略構成を示すブロック図である。
【図９】実施の形態２に係る電子筆記具の動作の一例を示すフローチャートである。
【図１０】実施の形態２の変形例に係る電子筆記具の動作の一例を示すフローチャートである。
【発明を実施するための形態】
【００１６】
［実施の形態１］
本発明の一実施の形態について、図面を用いて以下に説明する。
【００１７】
図１は、本発明の実施の形態１に係る電子筆記具１を含む情報処理システム１００の概略構成を示す図である。情報処理システム１００は、電子筆記具１、媒体２００、及びＰＣ（パーソナルコンピュータ）３００を含んでいる。電子筆記具１は、媒体２００に文字や図形などをユーザが手書きで筆記する機能と、媒体２００上に形成された符号化画像（以下、デジタルコードともいう。）を撮像する機能とを有している。媒体２００上に形成されたデジタルコードは、予め決められた符号化方式に従って情報を符号化し画像化したものである。媒体２００は、紙、ＯＨＰシートなどのプラスチック、その他の材質のものでもよいし、表示内容が電気的に書き替えられる電子ペーパーでもよい。ＰＣ３００は、電子筆記具１によって指定された位置のデジタルコードから情報が復号されると、復号された情報を用いて処理を実行する。ＰＣ３００は、例えば、ユーザにより電子筆記具１を用いて手書きされた筆記内容を電子化し、電子文書を示す電子データを生成する。電子筆記具１とＰＣ３００とは、有線または無線により情報を通信する。
【００１８】
図２は、デジタルコードを説明するための図である。図２に示すように、デジタルコードは、複数の点状画像の集合で構成されている。図２において、黒で示した矩形の領域Ａ１，Ａ２が、点状画像が配置された領域に対応し、斜線の領域Ａ３からＡ９が、点状画像が配置されていない領域に対応する。デジタルコードは、媒体２００を識別する識別情報（媒体ＩＤ）と、媒体２００上の位置（座標）を示す位置情報（座標情報）とを表す画像であり、点状画像の配置パターンに応じて情報が表される。なお、識別情報及び位置情報を表現するデジタルコードに関する技術は、例えば特開２００７−４１６９１号公報に開示されている。
【００１９】
［電子筆記具１の概略構成］
図３は、電子筆記具１の概略構成を示す模式図である。
【００２０】
制御部１０は、信号処理部１１及び駆動部１２を含んでいる。信号処理部１１は、ＣＰＵ（Central Processing Unit）やＡＳＩＣ（Application Specific Integrated Circuit）を含む演算装置や記憶部を備え、電子筆記具１における信号処理を司る。例えば、信号処理部１１は、撮像部２２が媒体２００を撮像した画像である撮像画像を解析してデジタルコードが示す情報を復号し、媒体２００の識別情報（媒体ＩＤ）及び位置情報（座標情報）を抽出する。駆動部１２は、照射部２３の駆動を制御し、例えば、照射部２３による光（例えば赤外光）の照射タイミングを制御する。具体的には、駆動部１２は、ユーザによる筆記動作が行われたときに、筆圧センサ部２１の検知信号に基づいて、照射部２３に媒体２００上の撮像範囲Ｒに光を照射させる。
【００２１】
制御部１０は、さらに、電源制御部１３、筆圧判定部１４、及び特徴判定部１５を含むが、これらの具体的な構成は後述する。
【００２２】
筆圧センサ部２１は、芯２０の末端に接触するように配置されている。芯２０の先端（筆記具先２０ａ）が媒体２００に接触すると、芯２０の末端から筆圧センサ部２１に圧力（筆圧）が加わる。筆圧センサ部２１は、筆圧を検知すると検知信号を制御部１０へ出力する。
【００２３】
撮像部２２は、照射部２３から媒体２００に対して照射された赤外光が媒体２００で反射された反射光を撮像する。電子筆記具１では、撮像部２２により、予め定められたフレームレート（例えば６０ｆｐｓ（フレーム毎秒））で、媒体２００の表面が撮像される。撮像部２２は、例えばＣＭＯＳセンサで構成することができる。
【００２４】
情報記憶部２４は、信号処理部１１で抽出された識別情報及び位置情報を記憶する。
【００２５】
通信部２５は、電子筆記具１とＰＣ３００との無線通信に関する制御を行う。なお、通信部２５は、ＵＳＢコネクタを介した有線接続によりＰＣ３００と通信を行ってもよい。
【００２６】
電源２６は、例えば充電池であり、電子筆記具１を駆動するための電力を電子筆記具１の各部に供給する。
【００２７】
筆記具ＩＤ記憶部２７は、電子筆記具１の識別情報を記憶する。スイッチ２８は、電子筆記具１の各種設定の切り替え等に用いられる。
【００２８】
芯２０は、筆記具軸の一例であり、電子筆記具１に対して着脱可能である。芯２０の先端には、筆記具先２０ａが設けられている。筆記具先２０ａは、ユーザによって電子筆記具１を用いて筆記動作が行われる際に、デジタルコードが形成された媒体２００上の位置を指示し、インクを吐出して媒体２００上への筆記を実現する。
【００２９】
［制御部１０の具体的構成］
図４は、電子筆記具１における制御部１０の具体的構成を示すブロック図である。図４には、電子筆記具１を構成する筆圧センサ部２１、撮像部２２、及び電源２６を合わせて示している。
【００３０】
制御部１０は、図３に示した信号処理部１１及び駆動部１２に加えて、電源制御部１３、筆圧判定部１４、及び特徴判定部１５を含んでいる。
【００３１】
電源制御部１３は、電源２６による電力の供給を制御して、電子筆記具１の電源のオン／オフを制御する。
【００３２】
筆圧判定部１４は、電子筆記具１の電源がオフ状態の場合に、筆圧が与えられたか否かを判定する第１判定処理を行う。具体的には、筆圧判定部１４は、電子筆記具１の電源がオフ状態の場合に、筆圧センサ部２１から検知信号を受信した場合は、「筆圧：有」と判定し、筆圧センサ部２１から検知信号を受信しなかった場合は、「筆圧：無」と判定する。筆圧判定部１４は、第１判定処理の判定結果を電源制御部１３に出力する。
【００３３】
また、筆圧判定部１４は、電子筆記具１の電源がオフ状態からオン状態になった場合に、オン状態になってから一定期間Ｔ１（第１所定期間）内に筆圧が与えられたか否かを判定する第２判定処理を行う。具体的には、筆圧判定部１４は、一定期間Ｔ１内に筆圧センサ部２１から検知信号を受信した場合は、「筆圧：有」と判定し、一定期間Ｔ１内に筆圧センサ部２１から検知信号を受信しなかった場合は、「筆圧：無」と判定する。筆圧判定部１４は、第２判定処理の判定結果を電源制御部１３及び特徴判定部１５に出力する。上記一定期間Ｔ１は、予め設定される期間であり、例えば数十秒〜数分に設定される。
【００３４】
さらに、筆圧判定部１４は、電子筆記具１の電源がオン状態からオフ状態になった場合に、オフ状態になってから一定期間Ｔ２（第２所定期間）内に筆圧が与えられたか否かを判定する第３判定処理を行う。具体的には、筆圧判定部１４は、一定期間Ｔ２内に筆圧センサ部２１から検知信号を受信した場合は、「筆圧：有」と判定し、一定期間Ｔ２内に筆圧センサ部２１から検知信号を受信しなかった場合は、「筆圧：無」と判定する。筆圧判定部１４は、第３判定処理の判定結果に応じて、再度、第１判定処理または第３判定処理を行う。上記一定期間Ｔ２は、予め設定される期間であり、例えば数十秒〜数分に設定される。なお、Ｔ１及びＴ２は同じ期間であってもよいし、異なる期間であってもよい。
【００３５】
特徴判定部１５は、信号処理部１１が抽出した識別情報（媒体ＩＤ）及び位置情報（座標情報）に基づき、撮像画像がデジタルコードとしての特徴を有しているか否かを判定する。具体的には、特徴判定部１５は、１パケットデータ内に識別情報及び位置情報が所定数以上含まれているか否かを判定する。特徴判定部１５は、１パケットデータ内に識別情報及び位置情報が所定数以上含まれている場合は、「特徴：有」と判定し、１パケットデータ内に識別情報及び位置情報が所定数以上含まれていない場合は、「特徴：無」と判定する。ここで、「特徴：有」は、媒体２００がデジタルコードを有することを示し、「特徴：無」は、媒体２００がデジタルコードを有していないことを示している。なお、特徴判定部１５は、１パケットデータ内に、識別情報または位置情報の何れかが所定数以上含まれているか否かを判定する構成であってもよい。特徴判定部１５は、判定結果を電源制御部１３に出力する。
【００３６】
電源制御部１３は、筆圧判定部１４の第１判定処理において、「筆圧：有」の信号を受信すると、電子筆記具１の電源をオン状態にする。また、電源制御部１３は、筆圧判定部１４の第２判定処理において、「筆圧：無」の信号を受信すると、電子筆記具１の電源をオフ状態にする。また、電源制御部１３は、特徴判定部１５から「特徴：無」の信号を受信すると電子筆記具１の電源をオフ状態にし、特徴判定部１５から「特徴：有」の信号を受信すると電子筆記具１の電源をオン状態にする。
【００３７】
［電子筆記具１の動作］
図５は、電子筆記具１の動作の一例を示すフローチャートである。
【００３８】
まず、ステップ（以下、Ｓと称す）１１にて、電子筆記具１の電源がオフ状態の場合において、筆圧判定部１４は、筆圧センサ部２１から出力される検知信号に基づいて、筆圧が検出されたか否かを判定する（第１判定処理：Ｓ１１）。筆圧が検出されなかった場合（Ｓ１１にてＮＯ）（「筆圧：無」）は、Ｓ１１に戻り第１判定処理を繰り返す。一方、筆圧が検出された場合（Ｓ１１にてＹＥＳ）（「筆圧：有」）は、筆圧判定部１４は判定結果を電源制御部１３に出力する。
【００３９】
次に、電源制御部１３は上記判定結果（「筆圧：有」）を受信すると、電源２６に対して、電子筆記具１の各部に電力を供給するよう命令する。これにより電子筆記具１の電源がオン状態になる（Ｓ１２）。
【００４０】
次に、筆圧判定部１４は、電子筆記具１の電源がオン状態になってから一定期間Ｔ１（第１所定期間）内に再び筆圧が検出されたか否かを判定する（第２判定処理：Ｓ１３）。電子筆記具１の電源がオン状態になってから一定期間Ｔ１内に筆圧が検出された場合（Ｓ１３にてＹＥＳ）（「筆圧：有」）は、信号処理部１１は、撮像部２２から受信した撮像画像を解析してデジタルコードの復号処理を行い、識別情報（媒体ＩＤ）及び位置情報（座標情報）を抽出する（Ｓ１４）。次に、特徴判定部１５は、信号処理部１１が抽出した識別情報及び位置情報に基づき、撮像画像がデジタルコードとしての特徴を有しているか否かを判定する（Ｓ１５）。
【００４１】
一方、電子筆記具１の電源がオン状態になってから一定期間Ｔ１内に筆圧が検出されなかった場合（Ｓ１３にてＮＯ）（「筆圧：無」）は、電源制御部１３は、電源２６に対して、電子筆記具１への電力の供給を停止するよう命令する。これにより電子筆記具１の電源がオフ状態になる（Ｓ１６）。
【００４２】
Ｓ１５において、撮像画像がデジタルコードとしての特徴を有している場合（Ｓ１５にてＹＥＳ）（「特徴：有」）は、電子筆記具１の電源オン状態を維持して処理が終了する（Ｓ１７）。
【００４３】
一方、Ｓ１５において、撮像画像がデジタルコードとしての特徴を有していない場合（Ｓ１５にてＮＯ）（「特徴：無」）はＳ１６へ移行し、電子筆記具１の電源がオフ状態になる。
【００４４】
Ｓ１６において電子筆記具１の電源がオフ状態になると、筆圧判定部１４は、電子筆記具１の電源がオフ状態になってから一定期間Ｔ２（第２所定期間）内に筆圧が検出されたか否かを判定する（第３判定処理：Ｓ１８）。電子筆記具１の電源がオフ状態になってから一定期間Ｔ２内に筆圧が検出された場合（Ｓ１８にてＹＥＳ）は、Ｓ１８に戻り筆圧判定部１４の第３判定処理が繰り返される。すなわち、一定期間Ｔ２内に筆圧が検出されている間は電子筆記具１の電源はオン状態にならず、オフ状態が維持される。なお、Ｓ１８の第３判定処理が繰り返される際の上記一定期間Ｔ２は、前回Ｓ１８における第３判定処理が行われてから、今回の第３判定処理が行われるまでの期間をいう。
【００４５】
一方、電子筆記具１の電源がオフ状態になってから一定期間Ｔ２内に筆圧が検出されなかった場合（Ｓ１８にてＮＯ）は、Ｓ１１に戻り、筆圧判定部１４による第１判定処理が行われる。
【００４６】
以上の動作により、ユーザの意図しない電源オン状態が回避され消費電力の低減が図れる。
【００４７】
以下では、ユーザによる電子筆記具１の使用態様と、使用態様における電子筆記具１の動作について例示する。
【００４８】
［使用態様１］
使用態様１は、ユーザが電子筆記具１を使用して、デジタルコードが形成された媒体２００（例えば紙）に文字を手書きする態様である。すなわち、使用態様１は、電子筆記具１の本来の使用に相当する。
【００４９】
使用態様１における電子筆記具１の動作は以下に示すとおりである。ユーザが電子筆記具１を使用して紙媒体２００に文字を手書きすることによって最初の筆圧が検出されると、電子筆記具１の電源がオン状態になる（図５のＳ１１、Ｓ１２）。続けてユーザが電子筆記具１を使用して紙媒体２００に文字を手書きすることによって筆圧が検出されると（図５のＳ１３にてＹＥＳ）、紙媒体２００の撮像画像についてデジタルコードとしての特徴が検出され（図５のＳ１５にてＹＥＳ）、電源オン状態が維持される（図５のＳ１７）。これにより、ユーザは電子筆記具１を本来の機能を実現する態様で使用することができる。
【００５０】
［使用態様２］
使用態様２は、ユーザが電子筆記具１を使用していない場合に、電子筆記具１に振動や衝撃が加わることにより電源がオン状態になる態様である。すなわち、使用態様２は、ユーザが意図せずに電子筆記具１の電源がオン状態になる態様である。
【００５１】
使用態様２における電子筆記具１の動作は以下に示すとおりである。振動や衝撃による筆圧が検出されることによって、電子筆記具１の電源がオン状態になる（図５のＳ１１、Ｓ１２）。その後一定期間Ｔ１内に筆圧が検出されないと（図５のＳ１３にてＮＯ）、電子筆記具１の電源がオフ状態になる（図５のＳ１６）。さらにその後一定期間Ｔ２内に筆圧が検出されないと（図５のＳ１８にてＮＯ）、再び第１判定処理（図５のＳ１１）が行われ、ここで筆圧が検出されないと、電源がオフ状態のまま第１判定処理が繰り返される（図５のＳ１１にてＮＯ）。これにより、電子筆記具１の誤動作に起因する電源オン状態による電力の消費を抑えることができる。
【００５２】
［使用態様３］
使用態様３は、ユーザが電子筆記具１を使用して、デジタルコードが形成されていない媒体２００（普通紙等）に文字を手書きする態様である。すなわち、使用態様３は、電子筆記具１としての本来の使用ではなく、電子筆記具１をボールペン等の単なる筆記具として使用する態様に相当する。
【００５３】
使用態様３における電子筆記具１の動作は以下に示すとおりである。ユーザが電子筆記具１を使用して普通紙媒体２００に手書きすることによって最初の筆圧が検出されると、電子筆記具１の電源がオン状態になる（図５のＳ１１、Ｓ１２）。続けてユーザが電子筆記具１を使用して普通紙媒体２００に手書きすることによって筆圧が検出されるが（図５のＳ１３にてＹＥＳ）、普通紙媒体２００の撮像画像についてデジタルコードとしての特徴が検出されないため（図５のＳ１５にてＮＯ）、電源がオフ状態になる（図５のＳ１６）。ユーザが電子筆記具１を単なる筆記具として普通紙媒体２００に手書きする場合は一定期間Ｔ２内に繰り返し筆圧が検出されることになるため（図５のＳ１８にてＹＥＳ）、電子筆記具１の電源オフ状態が継続する。これにより、電子筆記具１を単なる筆記具として使用することができるとともに、電子筆記具１の電源オン状態による電力の消費を抑えることができる。
【００５４】
［変形例］
上記電子筆記具１の変形例について説明する。図６は、変形例に係る電子筆記具１の動作の一例を示すフローチャートである。変形例に係る電子筆記具１は、図５に示すフローチャートにおいて、筆圧判定部１４の第２判定処理（Ｓ１３）が省略されている。その他の処理は図５に示す電子筆記具１の処理と同一である。この構成によれば、最初に筆圧を検出して電源がオン状態になった後、再度の筆圧の有無に関わらず、撮像画像のデジタルコードとしての特徴の有無に基づいて電源をオン／オフさせることができる。
【００５５】
［実施の形態２］
本発明の他の実施の形態について、図面を用いて以下に説明する。なお、説明の便宜上、実施の形態１において示した部材と同一の機能を有する部材には同一の符号を付し、その説明を省略する。また、実施の形態１において定義した用語については特に断らない限り本実施の形態においてもその定義に則って用いるものとする。
【００５６】
図７は、本発明の実施の形態２に係る電子筆記具２を含む情報処理システム１１０の概略構成を示す図である。情報処理システム１１０は、電子筆記具２、媒体２００、ＰＣ３００、及び受信機４００を含んでいる。
【００５７】
情報処理システム１１０は、電子筆記具２から発信される超音波信号及び赤外線信号を受信機４００が受信して電子筆記具２の位置（座標）を検出することによって、ユーザにより電子筆記具２を用いて手書きされた筆記内容を電子化し、電子文書を示す電子データを生成する。
【００５８】
［電子筆記具２の概略構成］
図８は、電子筆記具２の概略構成を示すブロック図である。
【００５９】
超音波発信部３２は、筆圧センサ部２１により筆圧が検知されて電子筆記具２の電源がオン状態になると、超音波信号を発信する。同様に、赤外線発信部３３は、筆圧センサ部２１により筆圧が検知されて電子筆記具２の電源がオン状態になると、赤外線信号を発信する。
【００６０】
受信機４００は、電子筆記具２から発信された超音波信号及び赤外線信号を受信すると受信機４００の電源がオン状態になり、電源オン状態を示すオン信号を電子筆記具２に対して発信（返信）する。
【００６１】
電子筆記具２の受信部３１は、受信機４００から発信されたオン信号を受信して、受信した旨を受信判定部１７に出力する。受信判定部１７は、受信部３１を介して、受信機４００からオン信号を受信したか否かを判定し、判定結果を電源制御部１３に出力する。
【００６２】
電源制御部１３は、受信判定部１７から受信した判定結果に基づいて、電源２６による電力の供給を制御して、電子筆記具２の電源のオン／オフを制御する。
【００６３】
［電子筆記具２の動作］
図９は、電子筆記具２の動作の一例を示すフローチャートである。
【００６４】
まず、Ｓ２１にて、電子筆記具２の電源がオフ状態の場合において、筆圧判定部１４は、筆圧センサ部２１から出力される検知信号に基づいて、筆圧が検出されたか否かを判定する（第１判定処理：Ｓ２１）。筆圧が検出されなかった場合（Ｓ２１にてＮＯ）（「筆圧：無」）は、Ｓ２１に戻り第１判定処理を繰り返す。一方、筆圧が検出された場合（Ｓ２１にてＹＥＳ）（「筆圧：有」）は、筆圧判定部１４は判定結果を電源制御部１３に出力する。
【００６５】
次に、電源制御部１３は上記判定結果（「筆圧：有」）を受信すると、電源２６に対して、電子筆記具２の各部に電力を供給するよう命令する。これにより電子筆記具２の電源がオン状態になる（Ｓ２２）。
【００６６】
次に、筆圧判定部１４は、電子筆記具２の電源がオン状態になってから一定期間Ｔ１（第１所定期間）内に再び筆圧が検出されたか否かを判定する（第２判定処理：Ｓ２３）。電子筆記具２の電源がオン状態になってから一定期間Ｔ１内に筆圧が検出された場合（Ｓ２３にてＹＥＳ）（「筆圧：有」）は、電子筆記具２は、超音波信号及び赤外線信号を発信する（Ｓ２４）。次に、受信判定部１７は、受信部３１を介して受信機４００からオン信号を受信したか否かを判定する（Ｓ２５）。
【００６７】
一方、電子筆記具２の電源がオン状態になってから一定期間Ｔ１内に筆圧が検出されなかった場合（Ｓ２３にてＮＯ）（「筆圧：無」）は、電源制御部１３は、電源２６に対して、電子筆記具２への電力の供給を停止するよう命令する。これにより電子筆記具２の電源がオフ状態になる（Ｓ２６）。
【００６８】
Ｓ２５において、電子筆記具２がオン信号を受信した場合（Ｓ２５にてＹＥＳ）は、電子筆記具２の電源オン状態を維持して処理が終了する（Ｓ２７）。
【００６９】
一方、Ｓ２５において、電子筆記具２がオン信号を受信しなかった場合（Ｓ２５にてＮＯ）はＳ２６へ移行し、電子筆記具２の電源がオフ状態になる。
【００７０】
Ｓ２６において電子筆記具２の電源がオフ状態になると、筆圧判定部１４は、電子筆記具２の電源がオフ状態になってから一定期間Ｔ２（第２所定期間）内に筆圧が検出されたか否かを判定する（第３判定処理：Ｓ２８）。電子筆記具２の電源がオフ状態になってから一定期間Ｔ２内に筆圧が検出された場合（Ｓ２８にてＹＥＳ）は、Ｓ２８に戻り筆圧判定部１４の第３判定処理が繰り返される。すなわち、一定期間Ｔ２内に筆圧が検出されている間は電子筆記具２の電源はオン状態にならず、オフ状態が維持される。なお、Ｓ２８の第３判定処理が繰り返される際の上記一定期間Ｔ２は、前回Ｓ２８における第３判定処理が行われてから、今回の第３判定処理が行われるまでの期間をいう。
【００７１】
一方、電子筆記具２の電源がオフ状態になってから一定期間Ｔ２内に筆圧が検出されなかった場合（Ｓ２８にてＮＯ）は、Ｓ２１に戻り、筆圧判定部１４による第１判定処理が行われる。
【００７２】
以上の動作により、ユーザの意図しない電源オン状態が回避され消費電力の低減が図れる。
【００７３】
以下では、ユーザによる電子筆記具２の使用態様と、使用態様における電子筆記具２の動作について列挙する。
【００７４】
［使用態様１］
使用態様１は、受信機４００が正常に電子筆記具２から超音波信号及び赤外線信号を受信できる領域において、ユーザが電子筆記具２を使用して媒体２００に文字を手書きする態様である。すなわち、使用態様１は、電子筆記具２の本来の使用に相当する。
【００７５】
使用態様１における電子筆記具２の動作は以下に示すとおりである。ユーザが電子筆記具２を使用して紙媒体２００に文字を手書きすることによって最初の筆圧が検出されると、電子筆記具２の電源がオン状態になる（図９のＳ２１、Ｓ２２）。続けてユーザが電子筆記具２を使用して紙媒体２００に文字を手書きすることによって筆圧が検出されると（図９のＳ２３にてＹＥＳ）、電子筆記具２は受信機４００からオン信号を受信し（図９のＳ２５にてＹＥＳ）、電源オン状態が維持される（図９のＳ２７）。これにより、ユーザは電子筆記具２を本来の機能を実現する態様で使用することができる。
【００７６】
［使用態様２］
使用態様２は、ユーザが電子筆記具２を使用していない場合に、電子筆記具２に振動や衝撃が加わることにより電源がオン状態になる態様である。すなわち、使用態様２は、ユーザが意図せずに電子筆記具２の電源がオン状態になる態様である。
【００７７】
使用態様２における電子筆記具２の動作は以下に示すとおりである。振動や衝撃による筆圧が検出されることによって、電子筆記具２の電源がオン状態になる（図９のＳ２１、Ｓ２２）。その後一定期間Ｔ１内に筆圧が検出されないと（図９のＳ２３にてＮＯ）、電子筆記具２の電源がオフ状態になる（図９のＳ２６）。さらにその後一定期間Ｔ２内に筆圧が検出されないと（図９のＳ２８にてＮＯ）、再び第１判定処理（図９のＳ２１）が行われ、ここで筆圧が検出されないと、電源がオフ状態のまま第１判定処理が繰り返される（図９のＳ２１にてＮＯ）。これにより、電子筆記具２の誤動作に起因する電源オン状態による電力の消費を抑えることができる。
【００７８】
［使用態様３］
使用態様３は、受信機４００が正常に電子筆記具２から超音波信号及び赤外線信号を受信できない領域において、ユーザが電子筆記具２を使用して媒体２００に文字を手書きする態様である。すなわち、使用態様３は、電子筆記具２としての本来の使用ではなく、電子筆記具２をボールペン等の単なる筆記具としての使用する態様に相当する。
【００７９】
使用態様３における電子筆記具２の動作は以下に示すとおりである。ユーザが電子筆記具２を使用して普通紙媒体２００に手書きすることによって最初の筆圧が検出されると、電子筆記具２の電源がオン状態になる（図９のＳ２１、Ｓ２２）。続けてユーザが電子筆記具２を使用して普通紙媒体２００に手書きすることによって筆圧が検出されるが（図９のＳ２３にてＹＥＳ）、受信機４００からオン信号が受信されないため（図９のＳ２５にてＮＯ）、電源がオフ状態になる（図９のＳ２６）。ユーザが電子筆記具２を単なる筆記具として媒体２００に手書きする場合は一定期間Ｔ２内に繰り返し筆圧が検出されることになるため（図９のＳ２８にてＹＥＳ）、電子筆記具２の電源オフ状態が継続する。これにより、電子筆記具２を単なる筆記具として使用することができるとともに、電子筆記具２の電源オン状態による電力の消費を抑えることができる。
【００８０】
なお、使用態様３には、電子筆記具２と受信機４００との間に障害物が存在することによって超音波信号及び赤外線信号を送受信できない態様も含まれる。
【００８１】
［変形例］
上記電子筆記具２の変形例について説明する。図１０は、変形例に係る電子筆記具２の動作の一例を示すフローチャートである。変形例に係る電子筆記具２は、図９に示すフローチャートにおいて、筆圧判定部１４の第２判定処理（Ｓ２３）が省略されている。その他の処理は図９に示す電子筆記具２の処理と同一である。この構成によれば、最初に筆圧を検出して電源がオン状態になった後、再度の筆圧の有無に関わらず、受信機４００からのオン信号の受信の有無に基づいて電源をオン／オフさせることができる。
【符号の説明】
【００８２】
１・２  電子筆記具、１０  制御部、１３  電源制御部、１４  筆圧判定部、１５  特徴判定部、１７  受信判定部、２１  筆圧センサ部、２２  撮像部、２６  電源、３１  受信部、３２  超音波発信部、３３  赤外線発信部、１００・１１０  情報処理システム、２００  媒体、３００  ＰＣ、４００  受信機
【図１】
2014134855.tif 000003
【図２】
2014134855.tif 000004
【図３】
2014134855.tif 000005
【図４】
2014134855.tif 000006
【図５】
2014134855.tif 000007
【図６】
2014134855.tif 000008
【図７】
2014134855.tif 000009
【図８】
2014134855.tif 000010
【図９】
2014134855.tif 000011
【図１０】
2014134855.tif 000012